(57)【要約】      （修正有）【課題】側面同士の結合と、各側面から特定の側面上に設けられたフラップにかけての結合を強固にするトレー型の容器を提供する。【解決手段】トレー型容器３０を、略矩形状の中空立体構造を有するトレー状の容器本体３１と、容器本体の一部側面上に取り付けられた蓋片３とから構成し、容器本体は、底面４と、前後側面５、６と、左右側面を有し、蓋片が取り付けられていない側面のうち少なくとも一つの側面７上にはフラップ９が設けられ、フラップが設けられた一の側面とこれに端部を接する隣接側面との間には、隣接側面から前記一の側面を経由してフラップまで延びると共に、これらと一体的に結合されたタブ３２、３３が設けられている。【選択図】図１
0003199509.tif 000002
【実用新案登録請求の範囲】
【請求項１】
略矩形状の中空立体構造を有するトレー状の容器本体と、
容器本体の一部側面上に取り付けられた蓋片とを備え、
容器本体は、底面と、前側面と、後側面と、左側面と、右側面を有し、
前記蓋片が取り付けられていない側面のうち少なくとも一つの側面上にはフラップが設けられており、また、
前記フラップが設けられた一の側面とこれに端部を接する隣接側面との間には、当該隣接側面から、前記一の側面を経由して前記フラップまで延びるタブが設けられ、
前記タブは、前記隣接側面と前記一の側面を経て前記フラップまでを結合して一体構造の容器本体とする、
ことを特徴とするトレー型容器。
【請求項２】
タブは、当該タブの基端部分を形成するタブ本体部と、タブ本体部の先方に突出して設けられたタブ延長部とを有しており、タブ本体部とタブ延長部とは境界部分において互いに折り曲げ可能に形成されていることを特徴とする請求項１に記載のトレー型容器。
【請求項３】
タブ本体部は当該タブ本体が接続している側面に隣接する隣接側面に固定される一方、タブ延長部は前記隣接側面に設けられたフラップに固定されることを特徴とする請求項２に記載のトレー型容器。
【請求項４】
フラップと当該フラップが接続している側面（接続側面）との境界に設けられた折り曲げ線の両端部分には、前記フラップと前記接続側面とを部分的に切り離す切込み線が形成されていることを特徴とする請求項１乃至３のいずれかに記載のトレー型容器。
【考案の詳細な説明】
【技術分野】
【０００１】
本考案はトレー型容器に関し、特にトレー型の容器の１つの側面と、この側面に隣接しフラップを有する他の側面との間の結合を強固にしたトレー型容器に関するものである。
【背景技術】
【０００２】
従来、食品などの各種物品収納するトレー型容器は、板紙等から成るブランクを展開状態から概略直方体形状に組み立てた構造を有するのが一般的であり、その一事例としては、特許文献１に示された容器、或いは特許文献１に示された容器と同じ基本構造を有する図３に示された容器がある。図３は従来の容器の構造を示す斜視図である。この容器１は、略矩形形状を有するトレー状の容器本体２と、容器本体２に取り付けられた蓋片３とを有している。容器本体２は底面４と、前側面５と、後側面６と、前側面５側から見て左側に位置する左側面７と、前側面５側から見て右側に位置する右側面８とを備え、後側面６の上辺には蓋片３が取り付けられている。また左側面７の上辺には、この上辺位置から容器本体２の内側へ向けて折り曲げられる第１のフラップ９が設けられ、右側面８の上辺には、この上辺位置から容器本体２の内側へ向けて折り曲げられる第２のフラップ１０が設けられている。蓋片３の前辺には蓋面に対して下方へ折り曲げられる蓋フラップ１１が設けられ、当該蓋フラップ１１の先辺の中央部分にはフック片１２が設けられている。また、前側面５の下辺の、底面４との境界線の略中央部分において、前記フック片１２に対応する部位にフック片１２に係合して止め作用を及ぼすスリット溝１３が設けられ、スリット溝１３にフック片１２を差し込んで固定するようになっている。また、前側面５の左右両端と、後側面６の左右両端にはそれぞれ、タブ１４、１５が、各折り曲げ線１６，１７を介して設けられている。なお、図３において、折り曲げ線１７は前面５の陰に隠れている。
【０００３】
このような従来の容器を組み立てる場合は、底面４に対して前側面５、後側面６及び左右側面７，８が立ち上がった状態で前側面５の左右両端のタブ１４を曲げ線１６に沿って容器本体２の内側へ折り曲げ、且つ左右側面７，８の前端部内面に貼り付け固定する。他方において、後側面６の左右両端のタブ１５を曲げ線１７に沿って容器本体２の内側へ折り曲げ、且つ左右側面７，８の後端部内面に貼り付け固定する。これにより各側面５，６，７，８が強固に連接し、蓋片３が開いた状態の容器１が形成される。容器１の中に品物をパッケージするときは第１のフラップ９及び第２のフラップ１０を容器本体の内側へ向けて折り曲げるとともに、蓋片３を前方へ折り曲げて容器本体２の上部を覆い、フック片１２を容器本体２の前面底部に設けられたスリット溝１３に差し込んで固定する。
【先行技術文献】
【特許文献】
【０００４】
【特許文献１】特開２０１２−１８８１４９
【考案の概要】
【考案が解決しようとする課題】
【０００５】
しかしながら、上記のような従来の容器１においては、前後側面５，６及び左右側面７，８を強固に連接して容器本体２を形成するために、前側面５の左右両端に設けられたタブ１４を左右側面７，８の内面に貼り付け固定する一方、後側面６の左右両端に設けられたタブ１５を左右側面７，８の内面に貼り付け固定しているから、左右側面７，８の上辺にそれぞれ設けられた第１及び第２のフラップ９，１０については何ら補強がされず容器１全体としての強度が十分に得られない虞があった。
【０００６】
本考案は、上記した問題に鑑みなされたもので、その目的は、トレー型の容器について、側面同士の結合を強固にするとともに、さらに、各側面から、特定の側面上に設けられたフラップにかけての結合を強固にすることである。
【課題を解決するための手段】
【０００７】
本考案は上記目的を達成するために、トレー型容器を、略矩形状の中空立体構造を有するトレー状の容器本体と、容器本体の一部側面上に取り付けられた蓋片とから構成し、容器本体は、底面と、前後側面と、左右側面を有し、蓋片が取り付けられていない側面のうち少なくとも一つの側面上にはフラップが設けられており、また、フラップが設けられた一の側面とこれに端部を接する隣接側面との間には、当該隣接側面から、前記一の側面を経由してフラップまで延びるタブが設けられ、このタブは、隣接側面と前記一の側面を経てフラップまでを結合して一体構造の容器本体としたことを要旨とする。この構成において、前記タブは、当該タブの基端部分を形成するタブ本体部と、タブ本体部の先方に突出して設けられたタブ延長部とを有しており、タブ本体部とタブ延長部とは境界部分において互いに折り曲げ可能に形成されていることが好ましく、さらに、タブ本体部は当該タブ本体が接続している側面に隣接する隣接側面に固定される一方、タブ延長部は前記隣接側面に設けられたフラップに固定されることが好ましい。また、  フラップと当該フラップが接続している側面（接続側面）との境界に設けられた折り曲げ線の両端部分には、前記フラップと前記接続側面とを部分的に切り離す切込み線が形成されていることが好ましい。
【考案の効果】
【０００８】
以上のように、本考案によれば、トレー型の容器について、側面同士の結合を結合するとともに、さらに、各側面から、特定の側面上に設けられたフラップにかけての結合を行うタブを設けているから、上記容器について、側面同士の結合部分を強固にするのみならず、特定の側面上に設けられたフラップまでもが強固になる。これにより、トレー型の容器の全体が頑丈になり、衝撃や圧力にたいする抵抗力（耐力）が増大する。
【図面の簡単な説明】
【０００９】
【図１】本考案の一実施の形態に係るトレー型容器において合わせ片の取り付け状態及び開放している状態を示す斜視図である。
【図２】前記実施の形態に係るトレー型容器の展開図である。
【図３】従来のトレー型容器において合わせ片の取り付け状態及び開放している状態を示す斜視図である。
【考案を実施するための形態】
【００１０】
以下、本考案の実施の形態について図面を参照して詳細に説明する。図１は本考案の一実施の形態に係るトレー型容器（以下、単に「容器」という）において合わせ片の取り付け状態及び開放している状態を示す斜視図である。図２は上記実施の形態に係る容器の展開図である。なお、図１及び図２において、容器の各部分で図３に示されてものと同じ部分には理解を助けるために同じ符号を付けている。
【００１１】
図１において、符号３１は上記実施の形態に係る容器全体を表す。この容器３０は段ボール紙、ボール紙、或いはクラフト紙のような、比較的厚さがありトレーとしての構造を維持できる直立性がある材質から作られている。材質は紙材に限らず合成樹脂や金属であってもよい。この容器３０は、略矩形形状に成形され、上方に開口した中空立体構造（皿或いはトレー構造）を有するトレー状の容器本体３１と、容器本体３１に取り付けられた蓋片３とを有している。容器本体３１は、底部から上端開口にかけて拡開する傾斜構造を有する。
【００１２】
この容器本体３１は底面４と、前側面５と、後側面６と、前側面５側から見て左側に位置する左側面７と、前側面５側から見て右側に位置する右側面８とを備え、後側面６の上辺には蓋片３が一体的に設けられている。また、蓋片３が取り付けられていない側面である左側面７の上辺には、この上辺位置から容器本体３１の内側へ向けて折り曲げられる第１のフラップ９が設けられ、同じく蓋片３が取り付けられていない側面である右側面８の上辺には、この上辺位置から容器本体３１の内側へ向けて折り曲げられる第２のフラップ１０が設けられている。蓋片３の前辺には蓋面に対して下方へ折り曲げられる蓋フラップ１１が設けられ、当該蓋フラップ１１の先辺の中央部分にはフック片１２が設けられている。また、前側面５の下辺の、底面４との境界線の略中央部分において、前記フック片１２に対応する部位にフック片１２に係合して止め作用を及ぼすスリット溝１３が設けられ、スリット溝１３にフック片１２を差し込んで固定するようになっている。
【００１３】
また、図２の展開図に表されているように、前側面５の左右両端と、後側面６の左右両端にはそれぞれ、タブ３２、３３が設けられている。タブ３２とタブ３３は、それぞれが設けられている側面が異なるのみで、概略同じ形状に成形され、それぞれ当該タブ３２、３３の基端部分を形成するタブ本体部３２ａ、３３ａと、タブ本体部３２ａ、３３ａの先方に突出して設けられたタブ延長部３２ｂ、３３ｂとを有している。そして、タブ本体部３２ａ、３３ａは各折り曲げ線３４，３５（３４は図１では隠れている。図２参照）を介して、それぞれ前側面５の左右両端と、後側面６の左右両端に設けられている。また、タブ延長部３２ｂ、３３ｂについてみると、タブ延長部３２ｂは折り曲げ線３６を介してタブ本体部３２ａに接続されており、タブ延長部３３ｂは折り曲げ線３７を介してタブ本体部３３ａに接続されている。よって、タブ本体部３２ａ、３３ａとタブ延長部３２ｂ、３３ｂとは境界部分において折り曲げ線３６，３７に沿って互いに折り曲げ可能になっている。
【００１４】
なお、この実施の形態ではタブ３２，３３は前側面５の左右両端と、後側面６の左右両端にそれぞれ設けられている構成になっているが、タブは左右側面７，８のそれぞれ前後両端に設けられていてもよい。
【００１５】
図２を参照しつつさらに容器１の構成をみると、前側面５は底面４に対して折り曲げ線１８を介して接続され、後側面６は底面４に対して折り曲げ線１９を介して接続され、左側面７は底面４に対して折り曲げ線２０を介して接続され、右側面８は底面４に対して折り曲げ線２１を介して接続されている。蓋片３は後側面６に対して折り曲げ線２２を介して接続され、蓋フラップ１１は蓋片３の後側面６側辺部とは反対側の開放端部において折り曲げ線２３を介して形成され、その先辺に設けられたフック片１２は折り曲げ線２４により折り曲げ可能になっている。また、第１のフラップ９は、これが接続する側面（接続側面）である左側面７の上辺において当該左側面７に対して折り曲げ線２５を介して接続され、第２のフラップ１０は、これが接続する側面（接続側面）である右側面８の上辺において当該左側面８に対して折り曲げ線２６を介して接続されている。さらに、第１のフラップ９と左側面７との境界において、折り曲げ線２５の両端部分には第１のフラップ９と左側面７とを部分的に切り離す切込み線３８が形成されている。同様に、第２のフラップ１０と右側面８との境界において、折り曲げ線２６の両端部分には第２のフラップ１０と右側面８とを部分的に切り離す切込み線３９が形成されている。
【００１６】
以上の構成を有する本実施の形態の容器を組み立てる場合は、底面４に対して前側面５を折り曲げ線１８に沿って折り曲げ、後側面６を折り曲げ線１９に沿って折り曲げ、左側面７を折り曲げ線２０に沿って折り曲げ、右側面７を折り曲げ線２１に沿って折り曲げることにより各側面５，６，７，８が立ち上がった状態で、前側面５の左右両端のタブ３２を曲げ線３４に沿って容器本体３１の内側へ折り曲げ、タブ本体部３２ａを前側面５に端部を接する隣接側面である左右側面７，８の前端部内面に貼り付け固定する。他方において、同じく各側面５，６，７，８が立ち上がった状態で、後側面６の左右両端のタブ３３を曲げ線３５に沿って容器本体３１の内側へ折り曲げ、タブ本体部３３ａを後側面６に端部を接する隣接側面である左右側面７，８の後端部内面に貼り付け固定する。これにより各側面５，６，７，８が強固に連接し、蓋片３が開いた状態の容器３０が形成される。
【００１７】
次に第１のフラップ９を折り曲げ線２５に沿って容器本体３１の内側へ向けて折り曲げるとともに、タブ３２において、タブ延長部３２ｂを折り曲げ線３６に沿って第１のフラップ９の内側（下側）へ向けて折り曲げ、タブ延長部３２ｂを第１のフラップ９の前端部内面に貼り付け固定する。また、第２のフラップ１０を折り曲げ線２６に沿って容器本体３１の内側へ向けて折り曲げるとともに、タブ３３において、タブ延長部３３ｂを折り曲げ線３７に沿って第２のフラップ１０の内側（下側）へ向けて折り曲げ、タブ延長部３３ｂを第２のフラップ１０の前端部内面に貼り付け固定する。このとき、第１のフラップ９と左側面７との境界の折り曲げ線２５の両端部分には切込み線３８が形成され、また第２のフラップ１０と右側面８との境界の折り曲げ線２６の両端部分には切込み線３９が形成されているため、タブ延長部３２ｂ及び３３ｂをそれぞれ第１のフラップ９及び第２のフラップ１０の前端部内面に貼り付け固定しても各フラップ９，１０と各タブ３２、３３との間に発生する引っ張り作用を切込み線３８，３９がわずかに開き変形して吸収し、折り曲げ接着を円滑に行うことができる。これによりタブ３２、３３の部分では、タブ本体部３２ａが左右側面７，８の前端部内面に貼り付け固定され、且つタブ本体部３３ａが左右側面７，８の後端部内面に貼り付け固定されることによりトレー形状をした強固な容器本体３１が形成される。さらに、タブ延長部３２ｂが第１のフラップ９及び第２のフラップ１０の前端部内面に貼り付け固定され、且つタブ延長部３３ｂが第１のフラップ９及び第２のフラップ１０の後端部内面に貼り付け固定されることにより各側面５，６，７，８から第１及び第２のフラップに至るまでがタブ３２，３３によって繋がれ、フラップ９，１０を含めた容器３０全体が頑丈な一体構造となる。
【００１８】
このような構成を有する容器３０の中に品物をパッケージするときは、容器本体３１の中に品物を投入した後、第１のフラップ９及び第２のフラップ１０をそれぞれ折り曲げ線２５、２６に沿って容器本体３１の内側へ向けて折り曲げる。次に、蓋片３を折り曲げ線２２に沿って前方へ折り曲げて容器本体３１の上部を覆い、蓋フラップ１１を折り曲げ線２３に沿ってさらに前方へ折り曲げるとともにフック片１２を折り曲げ線２４に沿って前方へ回り込むように折り曲げ、このフック片１２を容器本体３１の前面底部に設けられたスリット溝１３に差し込んで固定する。容器３０の四周は側面５，６，７，８によって取り囲まれ、上方は蓋片３及び第１及び第２のフラップ９，１０によって覆われており、且つ側面５，６，７，８から第１及び第２のフラップ９，１０まではタブ３２，３３によって一体的に接続されているから、容器１は頑丈な構造となっており、品物を入れた容器１を複数段に積み上げても下段の容器が押しつぶされることはなく、また、品物を入れた容器１を落下させた場合でも容器１が変形して内部の品物が飛び出ることもない。
【００１９】
上述の実施の形態においては、蓋片３の前辺に蓋フラップ１１が設けられ、当該蓋フラップ１１の先辺の中央部分にはフック片１２が設けられている構成となっているが、このフック片１２を蓋フラップ１１の先辺に設けない構造とすることもできる。その場合は、蓋フラップ１１を蓋片３の開放端部において折り曲げ線２３に沿って前方へ折り曲げ、この折り曲げられた蓋フラップ１１を前側面５の内側で、第１及び第２のフラップ９，１０の前方エッジとの間に差し込んで固定する。これによっても容器１の内部に品物を安全かつ確実に収容することができる。
【産業上の利用可能性】
【００２０】
本考案では、トレー型容器において、隣接する側面同士と一方の側面を経てフラップまでを結合するタブを設けて一体構造の容器とし、側面同士の結合を強固にするとともに、さらに、各側面から前記一方の側面上に設けられたフラップにかけての結合を強固にするという有用性を持つ。
【符号の説明】
【００２１】
１、３０  トレー型容器
２，３１  容器本体
３  蓋片
４  底面
５  前側面
６  後側面
７  左側面
８  右側面
９  第１のフラップ
１０  第２のフラップ
１１  蓋フラップ
１２  フック片
１３  スリット溝
１４，１５，３２，３３タブ
３２ａ、３３ａ  タブ本体部
３２ｂ、３３ｂ  タブ延長部
３８，３９  切込み線
【図１】
0003199509.tif 000003
【図２】
0003199509.tif 000004
【図３】
0003199509.tif 000005